(57)【特許請求の範囲】
【請求項１】
走行装置（１，１）を有する車台前部に、畝に植わっているタマネギの茎部を中央部に寄せる掻込案内体（３０，３０）を設け、該掻込案内体（３０，３０）の後方には、掻込案内体（３０，３０）で中央部に寄せ集められた茎部を左右から挟持しながら後方へ移送する挟持搬送体（３２）と、該挟持搬送体（３２）で挟持搬送されてくる茎部の上下中間部を切断する第一切断刃（３４）と、花球部付きの茎部を回収する回収台（８３）とを設け、前記挟持搬送体（３２）は互いに逆向きに回転する左右一対の搬送ベルト（４４，４４）を少なくとも上下２段に設けた構成とし、該搬送ベルト（４４，４４）の下方には前記第一切断刃（３４）で切断されて後方へ搬送中の茎部を下方に引き込む引込手段（３８）を設け、該引込手段（３８）で下方に引き込まれた花球部付きの茎部を所定長さに切断する第三切断刃（４８）を設けたことを特徴とする採種タマネギの収穫装置。
【請求項２】
前記第一切断刃（３４）よりも後方で第一切断刃（３４）よりも低い位置に、該第一切断刃（３４）で切断されて畝に残された茎部を切断する第二切断刃（３６）を設けたことを特徴とする請求項１記載の採種タマネギの収穫装置。
【発明の詳細な説明】
【０００１】
【発明の属する技術分野】
この発明は、採種タマネギの収穫装置に関する。
【０００２】
【従来の技術】
従来、タマネギの種を採取する収穫装置はなく、採種農家は夏の暑い日中に人海戦術に頼って収穫作業を行なっていた。一般に、ネギ坊主と言われる花球部にはタマネギの種が実っており、採種農家はこの種を収穫するために例年７月中旬頃にタマネギの茎を切断してこれを持ち帰り、所定本数毎に束ねて１０日程度軒先等に吊るして乾燥させ、乾燥後に花球部分を解して種だけを採取していた。
【０００３】
【発明が解決しようとする課題】
こうした収穫作業は、夏の一番暑い時期に行なわれ、しかも、茎部の切断回収作業には多くの人手を要するほか、腰を屈めてタマネギの茎の刈り取り作業をしなければならず、高齢者や婦女子にとってはきわめて過酷な重労働であり、生産現場では機械化による刈取収穫作業が望まれていた。
【０００４】
【課題を解決するための手段】
この発明は上記課題に鑑みて提案するものであって、以下のように構成した。
即ち、請求項１記載の発明では、走行装置（１，１）を有する車台前部に、畝に植わっているタマネギの茎部を中央部に寄せる掻込案内体（３０，３０）を設け、該掻込案内体（３０，３０）の後方には、掻込案内体（３０，３０）で中央部に寄せ集められた茎部を左右から挟持しながら後方へ移送する挟持搬送体（３２）と、該挟持搬送体（３２）で挟持搬送されてくる茎部の上下中間部を切断する第一切断刃（３４）と、花球部付きの茎部を回収する回収台（８３）とを設け、前記挟持搬送体（３２）は互いに逆向きに回転する左右一対の搬送ベルト（４４，４４）を少なくとも上下２段に設けた構成とし、該搬送ベルト（４４，４４）の下方には前記第一切断刃（３４）で切断されて後方へ搬送中の茎部を下方に引き込む引込手段（３８）を設け、該引込手段（３８）で下方に引き込まれた花球部付きの茎部を所定長さに切断する第三切断刃（４８）を設けたことを特徴とする採種タマネギの収穫装置とした。
【０００５】
また、請求項２記載の発明では、前記第一切断刃（３４）よりも後方で第一切断刃（３４）よりも低い位置に、該第一切断刃（３４）で切断されて畝に残された茎部を切断する第二切断刃（３６）を設けたことを特徴とする請求項１記載の採種タマネギの収穫装置とした。
【０００６】
【０００７】
【０００８】
【発明の効果】
請求項１記載の発明によると、走行装置（１，１）を有する車台前部に、畝に植わっているタマネギの茎部を中央部に寄せる掻込案内体（３０，３０）を設け、この掻込案内体（３０，３０）の後方には茎部を切断する第一切断刃（３４）と、切断された茎部を互いに逆向きに回転する左右一対の搬送ベルト（４４，４４）で左右から挟持しながら後方へ移送する挟持搬送体（３２）と、第一切断刃（３４）で切断されて後方へ搬送中の茎部を下方に引き込む引込手段（３８）と、この引込手段（３８）で下方に引き込まれた花球部付きの茎部を所定長さに切断する第三切断装置（４８）と、花球部付きの茎部を回収する回収台（８３）を設けたことにより、タマネギの茎部の刈り取りから回収までの収穫作業を労力を要することなく簡単に行うことができ、作業の能率を大幅に向上させることができる。
そして、後方へ搬送中の茎部を引込手段（３８）で下方に引き込むことにより、第三切断刃（４８）で切断する花球付きの茎部の長さを略揃えることができ、後工程である結束作業や結束後の乾燥処理作業が容易になる。
【０００９】
また、請求項２記載の発明の効果は、請求項１記載の発明の効果に加えて、第一切断刃（３４）で切断されて畝に残された茎部を第二切断刃（３６）で切断できる。
【００１０】
【発明の実施の形態】
以下、本発明の実施の一形態を図面に基づいて説明する。まず、その構成について説明すると、左右の走行クローラ１，１を有する収穫車両２の車体上部右側に操縦部３を設け、反対側にはエンジン４を搭載し、エンジン４の回転動力をプーリ６、７及びベルト８からなるベルト伝動機構１０を介して機体左後部に配設したミッションケース１２の入力軸１３に伝えている。１４はこのミッションケース１２の横側部に取り付けられた油圧式無段変速装置（ＨＳＴ）であって、操縦部３に設けられた走行クラッチレバー１６をクラッチ入側に倒した後に、主変速（ＨＳＴ）レバー１７をガイド溝１８に沿わせて前後方向に移動操作すると機体はその倒し角度に略比例した前進または後進速度が得られる。この主変速レバー１７をガイド溝１８の略中間位置のニュートラル位置に保持すると機体は停止する。
【００１１】
１９，２０は従来周知のサイドクラッチレバーであり、これらのサイドクラッチレバー１９，２０を前方に倒すとミッションケース１２内に組み込まれたサイドクラッチ（図示省略）が入りとなり、後方に引くと引いた側のサイドクラッチが切れてその切れた側に機体が旋回するようにしている。
【００１２】
ミッションケース１２の下部には走行軸２２，２２が軸架され、その端部にはクローラ１，１を駆動するスプロケット２４，２４が固着されている。なお、図１において、符号２５，２５は複数個の転輪２６、２６…と前側１個の遊輪２７，２７を支持するトラックフレームである。クローラ１，１はこれらの遊輪２７，２７と、スプロケット２４，２４と、転輪２６、２６…間に巻き回されている。
【００１３】
次にタマネギの茎Ｋの中間部を切断して花球Ｆ付きの茎Ｋを収穫する作業部の構成について説明する。収穫車両２の機体前部には畝Ｓに植わっているタマネギの茎Ｋを中央部に寄せ集める掻込案内体３０，３０が設けられ、その後方には中央部に集められた茎Ｋを左右から挟持しながら後方に移送する挟持搬送体３２と、この挟持搬送体３２で挟持搬送されている茎Ｋの上下中間部を切断する第一切断刃３４と、畝Ｓに残っている残茎をさらに短く切断する第二切断刃３６と、前記挟持搬送体３２で挟持している茎Ｋを下方に引き込む引込装置３８が設けられている。前記掻込案内体３０，３０は、図６に示すように前後に間隔をあけて設けられた２本の縦軸３９，３９上下に固着のプーリ４０，４０に巻き回されたラグ付きの搬送ベルト４１，４１を有し、これらが左右に設けられ、図３に示すように左右の搬送ベルト４１，４１の前端側間隔が後端側間隔より広くなる平面視逆ハ字状に形成されている。また、前記挟持搬送体３２は前後のプーリ４２，４３間に巻き回された左右一対の無端ベルト４４，４４を上下に備え、左右のベルト４４，４４同士は互いに接近して相互に逆向に回転し、タマネギの茎Ｋをこれら左右一対の無端ベルト４４，４４で挟持しながら後方へ搬送するようにしている。無端ベルト４４を巻き掛けている前側プーリ４２のうち外側のプーリ４２と掻込案内体３０の後側プーリ４０とは、プーリ４０が上側となるようにして同一軸芯上に設けられている。
【００１４】
そして、挟持搬送体３２は左右方向にもう1組設けられ合わせて2条分のタマネギの茎Ｋが後方へ搬送されるように構成している。なお、この実施例では、前記掻込案内体３０，３０の回転動力は挟持搬送体３２，３２の前部に設けた前側プーリ４２，４２支持部から取るものであるが、別の経路から動力を取るようにしても良い。また、畝Ｓの条数に応じて掻込案内体３０，３０の開き角度を任意に調節できるようにしても良い。
【００１５】
また、図１から明らかなように第一切断刃３４は側面から見て遊輪２７よりやや後方の高い位置にあり、挟持搬送体３２，３２の無端ベルト４４，４４によって挟持されているタマネギの茎Ｋの上下中間部を切断する。これより後方でやや低い位置に設けられた第二切断刃３６は畝Ｓに残された茎Ｋの残稈部をさらに短く切断する。第一切断刃３４、第二切断刃３６ともレシプロ式の従来周知の刈刃構成であって、左右のクローラ１，１の内幅に相当する長さを有する。
【００１６】
第一切断刃３４の後方に設けられた茎Ｋの引込装置３８は一対のロール４５，４５を前後方向に沿わせてかつ水平状に並べたもので一方のロール４５には前後方向に沿う複数個の突条４５ａが設けてあり、先端には丸棒４６が巻き掛けてある。これらのロール４５，４５は逆向きに回転し、前記の無端ベルト４４，４４が搬送中の茎Ｋを挟み込んで下方に引き込むものである。引込装置３８も挟持搬送体３２，３２に対応させて左右に２組設けている。なお、前記ロールの突条４５ａは、タマネギの茎Ｋを円滑、かつ確実に引き込むために設けたものであって、その突条４５ａの数やロール４５，４５の回転径、回転数等はタマネギの品種や使用の形態に応じて適宜設定する。
【００１７】
図１において符号４８，４８は引込装置３８，３８によって引き込まれたタマネギの茎Ｋの長さを所定長さに切断する第三切断刃である。この切断刃４８，４８はデイスク状に構成されており、前記無端ベルト４４，４４の後側プーリ４３，４３を支持する縦軸５０，５０の下部に取り付けられている。従って、無端ベルト４４，４４が回転中はこのデイスク型の第三切断刃４８，４８も回転することができる。
【００１８】
図４は作業部の動力伝達系を線図で表したものである。同図を用いて動力伝達系を簡単に説明する。ミッションケース１２の内側部には作業部を駆動するための出力軸５１が軸架され、その内端部にプーリ５２が固着されている。このプーリ５２と中間軸５４上のプーリ５５との間にはベルト５６を巻き掛け、中間軸５４外端に取り付けたギヤ５７と第一駆動軸５８外端のギヤ５９とを噛合わせ、第一駆動軸５８を回転させることによって前記引込装置３８，３８と第一切断刃３４及び第二切断刃３６を駆動するようにしている。符号６０，６１，６２は２枚のベベルギヤが直交状態に噛合って動力伝達の向きを変更するベベルギヤ機構、６４，６５，６６，６７は引込装置３８，３８のロール４５，４５軸端に固着されたギヤである。ギヤ６４とギヤ６５が噛合い、ギヤ６６とギヤ６７が噛合い、１組のロール４５，４５は相互に逆回転する。６９は機体の右側にあって前後方向に沿わせて設けられた刈刃駆動軸でこの刈刃駆動軸６９の前部にはクランク杆７０が取り付けられており、刈刃駆動軸６９が回転すると第一切断刃３４と第二切断刃３６の可動刃を左右方向に往復移動させる。７２は掻込案内体３０を駆動する第二駆動軸であり、機体後上部に水平横向きに軸架され、この軸７２の外端部にはスプロケット７３が取り付けられており、このスプロケット７３と第一駆動軸５８に取り付けたスプロケット７４との間にチェーン７５を巻き掛けている。７７，７８はベベルギヤ機構で、第二駆動軸７２の回転を前記挟持搬送体３２の後側プーリ４３，４３を支持している縦軸５０に伝達する。各縦軸５０，５０…上部には夫々ギヤ９３，９４，９５，９６が固着されており、ギヤ９３とギヤ９４が噛合い、ギヤ９５とギヤ９６が常時噛合っていて、無端ベルト４４，４４は互いに逆向きに回転する。
【００１９】
なお、前記した作業部の動力の入切は、操縦部３に設けたＰＴＯレバー８０を前方に倒してクラッチを接続すると実行されるものであって、このＰＴＯレバー８０をクラッチ入り側に操作すると、前記引込装置３８，３８、挟持搬送体３２，３２、第一、第二、第三の各切断刃３４，３６，４８が同時に回転駆動される。
【００２０】
図１において、符号８２は座席、８３は花球Ｆが付いた収穫用の茎Ｋを回収する台、８４はステップである。このステップ８４は不使用時には上方へ回動させて収納退避させることができる。また、前記回収台８３は底板が平坦な盤面であっても良いが、こぼれた種子を回収しやすくするために、左右の底板８５を傾斜させ、中央部に種子が溜まるような構成としても良い。
【００２１】
図３において、符号８６は収穫物を強制的に回収台８３側へ送る補助搬送体で、プーリ４３，８７間に巻き回したベルト８８で構成される。８９は機体前部に設けた分草体、９９はバッテリーである。次に上例の作用について説明する。
【００２２】
エンジン４を駆動して走行クラッチレバー１６をクラッチ入り側に倒し、更に主変速レバー１７を操作して機体を畝Ｓの端に移動させる。この状態でＰＴＯクラッチレバー８０をクラッチ入り側に倒し、作業部の各回転部を駆動させる。ＰＴＯクラッチレバー８０を入りにすると、ミッションケース１２の出力軸５１から取り出された回転動力は、プーリ５２、ベルト５６、プーリ５５を順次介して中間軸５４に伝達されると共に、ギヤ５７、５９を介して第一駆動軸５８に伝達され、更にベベルギヤ６０、６１、ギヤ６４，６５及びギヤ６６，６７を介して引込装置３８の各ロール４５，４５を互いに逆向きに回転させる。このとき、第一駆動軸５８の軸端に設けたベベルギヤ６２により刈刃駆動軸６９も駆動されて第一切断刃３４、第二切断刃３６の可動刃を往復摺動させる。
【００２３】
更に第一駆動軸５８の回転動力はチェン７５、スプロケット７３、７４を介して第二駆動軸７２に伝達され、この第二駆動軸７２の途中に介装したベベルギヤ７７，７８により挟持搬送体３２，３２の後側プーリ４３，４３を支持している縦軸５０，５０を回転駆動する。縦軸５０，５０にはギヤ９３，９４，９５，９６が取り付けられているからこれらのギヤ９３，９４，９５，９６を介して挟持搬送体３２，３２の無端ベルト４４，４４が駆動される。
【００２４】
図７は作業中の様子を示すものである。機体を前進させながら作業部を駆動させると回転している掻込搬送体３０，３０のラグ付搬送ベルト４１，４１によって茎は中央に寄せ集められ、左右一対の挟持搬送体３２，３２の始端側に誘導されていく（図６参照）。
【００２５】
そして、これら挟持搬送体３２，３２を構成する無端ベルト４４，４４によって茎Ｋは挟持されながら後方へ移送され、第一切断刃３４によってその上下方向の中間部が切断され、そのまま後方へ移送される。更に花球部（所謂ねぎ坊主）が引込装置３８，３８により上段の無端ベルト４４のガイド板９０に当たる位置まで下方へ引き込まれて首揃えされる。図５はその状態を示すもので、仮想線イが首揃え前の状態、実線ロが引き込まれた状態を示す。この発明においては、タマネギの茎Ｋに対して掻込案内体３０を構成する搬送ベルト４１、挟持搬送体３２を構成する無端ベルト４４がタマネギの茎Ｋに対して略垂直に作用するので首揃えに有効である。
【００２６】
そして、この後に、花球部から所定長さの部分が第三切断刃４８によって切断され、図８に示すように花球Ｆ部を２本のガイド棒９２，９２に支持させながら後方へ押し出して回収台８３の上に放出させる。作業者はこの回収台８３の上に放出された花球Ｆ付きの茎Ｋをコンテナ等の容器に手で掴んで移し変える。同時に回収台８３の上に零れた種子を掃き集めて別の容器に回収する。
【００２７】
なお、図示は省略したが、回収台８３上に放出される茎Ｋを適当な搬送手段を介してコンテナに自動的に集めたり、あるいは適当個数の茎Ｋを紐やテープで結束し、これら結束後の茎Ｋを回収する構成としても良い。
【図面の簡単な説明】
【図１】  収穫機の側面図である。
【図２】  収穫機の正面図である。
【図３】  収穫機の平面図である。
【図４】  動力伝達線図である。
【図５】  作用説明図である。
【図６】  要部の拡大平面図である。
【図７】  作業中の様子を示す作用説明図である。
【図８】  要部の斜視図である。
【符号の説明】
１        クローラ（走行装置）
２        動力車両
３        操縦部
４        エンジン
１２      ミッションケース
１６      走行クラッチレバー
１７      主変速レバー
１９      サイドクラッチレバー
２０      サイドクラッチレバー
２２      走行軸
３０      掻込搬送体
３２      挟持搬送体
３４      第一切断刃
３６      第二切断刃
３８      引込装置
４４ 無端ベルト（搬送ベルト）
４８      第三切断刃
８３ 回収台
【図１】
0004365046.tif 000002
【図２】
0004365046.tif 000003
【図３】
0004365046.tif 000004
【図４】
0004365046.tif 000005
【図５】
0004365046.tif 000006
【図６】
0004365046.tif 000007
【図７】
0004365046.tif 000008
【図８】
0004365046.tif 000009